【手続補正書】
【提出日】平成18年12月6日(2006.12.6)
【手続補正１】
【補正対象書類名】明細書
【補正対象項目名】特許請求の範囲
【補正方法】変更
【補正の内容】
【特許請求の範囲】
【請求項１】  ヒータ本体と、該ヒータ本体の温度を感知するよう前記ヒータ本体内に設けた温度感知素子を有する温度感知センサーとを含み、前記ヒータ本体は、少なくとも軸方向の一端が開口された口元部となっている金属パイプと、該金属パイプ内に充填した電気絶縁性の充填物と、前記金属パイプの内面に離間しかつ前記金属パイプの軸方向に対して平行に前記充填物を介して前記金属パイプ内に保持した発熱線と、該発熱線の両端部に接続し前記金属パイプ内から外へ導出した導電性の端子部材とを有し、前記温度感知センサーは前記ヒータ本体内で前記温度感知素子に接続し前記ヒータ本体内から外へ導出したリード部材を有している温度感知センサー付きヒータにおいて、
前記口元部から前記金属パイプ内に前記軸方向に対して平行に配設したセンサーパイプを有し、前記温度感知素子を前記センサーパイプ内へ挿入する挿入口が前記口元部側に位置しており、前記リード部材が前記センサーパイプ内に配置されかつ前記挿入口から外へ導出されており、前記センサーパイプ内には、前記温度感知素子を先方として前記リード部材を前記挿入口から前記センサーパイプの先端内面に当接する位置まで挿入可能にかつ前記リード部材を前記センサーパイプから引き出すことによって前記センサーパイプ内から取り出し可能に前記温度感知素子が収容されていることを特徴とする温度感知センサー付きヒータ。
【請求項２】  請求項１記載の温度感知センサー付きヒータにおいて、前記金属パイプの前記口元部を封止した電気絶縁性のヒータ封口部材と、該ヒータ封口部材に対向する前記口元部の奥部で前記金属パイプの内周面に対向している電気絶縁性のスペーサー部材と、前記ヒータ封口部材及び前記スペーサー部材間で前記軸方向に設けた電気絶縁性の碍子とを有し、前記端子部材が前記ヒータ封口部材、前記碍子、前記スペーサー部材を貫通して前記発熱線に接続しており、前記センサーパイプが前記ヒータ封口部材を貫通して前記碍子へ挿通されており、前記センサーパイプの先端が前記スペーサー部材側へ位置していることを特徴とする温度感知センサー付きヒータ。
【請求項３】  ヒータ本体と、該ヒータ本体の温度を感知するよう前記ヒータ本体内に設けた温度感知素子を有する温度感知センサーとを含み、前記ヒータ本体は、少なくとも軸方向の一端が開口された口元部となっている金属パイプと、該金属パイプ内に充填した電気絶縁性の充填物と、前記金属パイプの内面に離間しかつ前記金属パイプの軸方向に対して平行に前記充填物を介して前記金属パイプ内に保持した発熱線と、該発熱線の両端部に接続し前記金属パイプ内から外へ導出した導電性の端子部材とを有し、前記温度感知センサーは前記ヒータ本体内で前記温度感知素子に接続し前記ヒータ本体内から外へ導出したリード部材とを有している温度感知センサー付きヒータにおいて、
前記口元部から前記金属パイプ内に前記軸方向に対して平行に配設したセンサーパイプを有し、前記温度感知素子を前記センサーパイプ内へ挿入する挿入口が前記口元部側に位置しており、前記リード部材が前記センサーパイプ内に配置されかつ前記挿入口から外へ導出されており、前記センサーパイプ内には、前記温度感知素子を先方として前記リード部材を前記挿入口から前記センサーパイプの先端内面に当接する位置まで挿入可能にかつ前記リード部材を前記センサーパイプから引き出すことによって前記センサーパイプ内から取り出し可能に前記温度感知素子が収容されており、
前記発熱線を外周面に巻着した電気絶縁性のボビンを有し、前記ボビンには前記軸方向に前記センサーパイプを位置させるセンサー取付穴が形成されており、前記端子部材が前記ヒータ封口部材及び前記スペーサー部材を貫通して前記発熱線に接続しており、前記センサーパイプが前記ヒータ封口部材を貫通して前記スペーサー部材及び前記ボビンの前記センサー取付穴に挿通されて前記ボビンの所望位置に前記センサーパイプの先端が位置していることを特徴とする温度感知センサー付きヒータ。
【請求項４】  請求項１又は２記載の温度感知センサー付きヒータにおいて、前記センサーパイプ内に流動物が収容されており、該流動物を封止するよう前記センサーパイプの挿入口が封口部材によって封止されていることを特徴とする温度感知センサー付きヒータ。
【請求項５】  請求項４記載の温度感知センサー付きヒータにおいて、前記流動物が電気絶縁粉であることを特徴とする温度感知センサー付きヒータ。
【請求項６】  請求項２、３又は４記載の温度感知センサー付きヒータにおいて、前記ヒータ封口部材、前記封口部材がシリコンＲＴＶゴム、エポキシ系接着剤、又はガラス材から選択された一種又は二種であることを特徴とする温度感知センサー付きヒータ。
【手続補正２】
【補正対象書類名】明細書
【補正対象項目名】０００５
【補正方法】変更
【補正の内容】
【０００５】
それ故に、本発明の課題は、客先の要求に応じて温度感知素子を選んで組み立てたり、交換することが容易となる温度感知センサー付きヒータを提供することにある。
【手続補正３】
【補正対象書類名】明細書
【補正対象項目名】０００７
【補正方法】変更
【補正の内容】
【０００７】
【課題を解決するための手段】
本発明によれば、ヒータ本体と、該ヒータ本体の温度を感知するよう前記ヒータ本体内に設けた温度感知素子を有する温度感知センサーとを含み、前記ヒータ本体は、少なくとも軸方向の一端が開口された口元部となっている金属パイプと、該金属パイプ内に充填した電気絶縁性の充填物と、前記金属パイプの内面に離間しかつ前記金属パイプの軸方向に対して平行に前記充填物を介して前記金属パイプ内に保持した発熱線と、該発熱線の両端部に接続し前記金属パイプ内から外へ導出した導電性の端子部材とを有し、前記温度感知センサーは前記ヒータ本体内で前記温度感知素子に接続し前記ヒータ本体内から外へ導出したリード部材を有している温度感知センサー付きヒータにおいて、前記口元部から前記金属パイプ内に前記軸方向に対して平行に配設したセンサーパイプを有し、前記温度感知素子を前記センサーパイプ内へ挿入する挿入口が前記口元部側に位置しており、前記リード部材が前記センサーパイプ内に配置されかつ前記挿入口から外へ導出されており、前記センサーパイプ内には、前記温度感知素子を先方として前記リード部材を前記挿入口から前記センサーパイプの先端内面に当接する位置まで挿入可能にかつ前記リード部材を前記センサーパイプから引き出すことによって前記センサーパイプ内から取り出し可能に前記温度感知素子が収容されていることを特徴とする温度感知センサー付きヒータが得られる。
【手続補正４】
【補正対象書類名】明細書
【補正対象項目名】０００８
【補正方法】変更
【補正の内容】
【０００８】
【作用】
本発明の温度感知センサー付きヒータでは、センサーパイプを挿入して埋め込んだヒータを製作して、完成後に温度感知素子をセンサーパイプ内に固定したものであり、客先の要求に応じて温度感知素子を選択して組む込むことが容易であり、各種温度感知素子の中でも、今まで強度的に使えなかったガラス封止タイプの温度感知素子（サーミスタなど）の取り付けが可能となる。
【手続補正５】
【補正対象書類名】明細書
【補正対象項目名】００１７
【補正方法】変更
【補正の内容】
【００１７】
温度感知素子３３の種類としては、熱電対、サーミスタ、特にガラス封止タイプのサーミスタ、ＰＴセンサーなどがある。温度感知センサー３１は、センサーパイプ３４内で温度感知素子３３に接続されてセンサーパイプ３４内から外へ導出したリード部材３５と、金属パイプ１２の口元部１１ａから金属パイプ１２内に軸方向に対して平行に配設したセンサーパイプ３４とを有している。
【手続補正６】
【補正対象書類名】明細書
【補正対象項目名】００２０
【補正方法】変更
【補正の内容】
【００２０】
図３は、碍子２５を図１の左側から見た図である。碍子２５において、符号２５ａ，２５ｂは、端子部材１５，１５が挿入される端子挿入穴である。また、符号２５ｃは、センサーパイプ３４が挿入されるセンサーパイプ挿入穴である。図４は、ボビン２７を図１の左側から見た図である。ボビン２７において、図４中の参照符号の２７ａ，２７ｂは、端子部材１５が挿入される端子挿入穴である。
【手続補正７】
【補正対象書類名】明細書
【補正対象項目名】００３４
【補正方法】変更
【補正の内容】
【００３４】
図８及び図９における温度感知センサー付きヒータは、金属パイプ１２の口元部１１ａを封止した電気絶縁性の第１及び第２のヒータ封口部材２１，２２と、第１及び第２のヒータ封口部材２１，２２に対向する口元部１１ａの奥部で金属パイプ１２の内周面に対向している電気絶縁性の第１のスペーサー部材２３とを有している。
【手続補正８】
【補正対象書類名】明細書
【補正対象項目名】００３５
【補正方法】変更
【補正の内容】
【００３５】
端子部材１５は、第１及び第２のヒータ封口部材２１，２２、第１のスペーササー部材２３を貫通して発熱線１４に接続している。センサーパイプ３４は、第１及び第２のヒータ封口部材２１，２２を貫通してボビン２７へ挿通されており、センサーパイプ３４の先端が、ボビン２７内へ位置している。ボビン２７には、二本の端子部材１５を挿入する端子挿入穴２７ａ，２７ｂと、センサーパイプ３４を挿入するパイプ挿入穴２７ｃが形成されている。
【手続補正９】
【補正対象書類名】明細書
【補正対象項目名】００３６
【補正方法】変更
【補正の内容】
【００３６】
この実施の形態例における温度感知センサー付きヒータは、以下のように組み立てられる。まず、発熱線１４をボビン２７に巻き付けたものを用意し、図９に示すボビン２７の端子挿入穴２７ａ，２７ｂに二本の端子部材１５を挿入する。次に、ボビン２７の軸方向の両端には、第１及び第３のスペーサー部材２３，２９を設ける。即ち、ボビン２７の端子挿入穴２７ａ，２７ｂに端子部材１５を挿入して発熱線１４の両端部を端子部材１５のそれぞれに接続する。
【手続補正１０】
【補正対象書類名】明細書
【補正対象項目名】００３７
【補正方法】変更
【補正の内容】
【００３７】
そして、センサーパイプ３４をボビン２７のパイプ挿入穴２７ｃへ挿入し、金属パイプ１２の口元部１１ａ側から金属パイプ１２内へ挿入する。なお、この実施の形態例においても、第１及び第３のスペーサー部材２３，２９は、枚数が限定されるものではなく、第１及び第３のスペーサー部材２３，２９には、口元部１１ａ側から流入させる粉状の充填物１３をボビン２７の周囲及び内部に充填できるように、外周部分に切り欠き形状の隙間が形成されている。
【手続補正１１】
【補正対象書類名】明細書
【補正対象項目名】００４３
【補正方法】変更
【補正の内容】
【００４３】
【発明の効果】
以上、実施の形態例によって説明したように、本発明の温度感知センサー付きヒータによれば、センサーパイプを組み込んだヒータ本体をプレスまたはスエージング加工した後に、センサーパイプに温度感知素子を挿入するため、プレスもしくはスエージングによるサーミスタ、特にガラス封止タイプのサーミスタの割れが発生しない。
【手続補正１２】
【補正対象書類名】明細書
【補正対象項目名】図面の簡単な説明
【補正方法】変更
【補正の内容】
【図面の簡単な説明】
【図１】
本発明に係る温度感知センサー付きヒータの第１実施の形態例示す断面図である。
【図２】
図１に示した温度感知センサー付きヒータを示す断面図である。
【図３】
図１に示した絶縁部材を示す正面図である。
【図４】
図１に示したボビンを示す正面図である。
【図５】
図１に示した温度感知センサー付きヒータの付属部品を示す側面図である。
【図６】
図５のＶＩ−ＶＩ線断面図である。
【図７】
図５の要部の断面図である。
【図８】
本発明に係る温度感知センサー付きヒータの第２実施の形態例示す断面図である。
【図９】
図８に示したボビンを示す正面図である。
【符号の説明】
１１    ヒータ本体
１１ａ    口元部
１２    金属パイプ
１３    充填物
１４    発熱線
１５    端子部材
１７    ケーブル
１８    接続部材
２１    第１のヒータ封口部材
２２    第２のヒータ封口部材
２３    第１のスペーサー部材
２４    第２のスペーサー部材
２５    碍子
２５ａ，２５ｂ，２７ａ，２７ｂ    端子挿入穴
２５ｃ，２７ｃ    センサーパイプ挿入穴
２７    ボビン
３１    温度感知センサー
３３    温度感知素子
３４    センサーパイプ
３４ａ    挿入口
３５    リード部材
３７    流動物
３９    封口部材